(57)【要約】【課題】汚れに対して強く、簡素な構造であって容易に組み立て及び分解が可能な断熱箱体を提供する。【解決手段】断熱材料からなる板状の底面板２と複数の側面板３１〜３４とを有し、側面板３１〜３４を底面板２の外周縁２ａに立てて箱状に組み立て可能な断熱箱体１であって、側面板３１〜３４の一辺３１ａ〜３４ａが底面板２の外周縁２ａに近接した状態で、底面板２と側面板３１〜３４は対向する２枚のプラスチックフィルム４で封入されている。【選択図】図１
2013256302.tif 000002
【特許請求の範囲】
【請求項１】
断熱材料からなる板状の底面板と複数の側面板とを有し、側面板を底面板の外周縁に立てて箱状に組み立て可能な断熱箱体であって、
側面板の一辺が底面板の外周縁に近接した状態で、底面板と側面板は対向する２枚のプラスチックフィルムで封入されていることを特徴とする断熱箱体。
【請求項２】
前記側面板を立てた状態で保持可能な保持手段を備えることを特徴とする請求項１に記載の断熱箱体。
【請求項３】
前記保持手段は、隣り合う側面板の側縁部どうしを連結する連結具であることを特徴とする請求項２に記載の断熱箱体。
【請求項４】
前記保持手段は、複数の側面板の周囲を取り囲む枠体であることを特徴とする請求項２に記載の断熱箱体。
【請求項５】
前記側面板と前記プラスチックフィルムとの間に、遮光性に優れる薄膜材を備えることを特徴とする請求項１〜４のいずれかに記載の断熱箱体。
【請求項６】
前記底面板と前記プラスチックフィルムとの間に、補強板を備えることを特徴とする請求項１〜５のいずれかに記載の断熱箱体。
【請求項７】
断熱材料からなる板状の底面板と複数の側面板とを有し、側面板を底面板の外周縁に立てて箱状に組み立て可能な断熱箱体の製造方法であって、
側面板の一辺が底面板の外周縁に近接した状態で、底面板と側面板を対向する２枚のプラスチックフィルムの間に配置し、底面板と側面板の周りでプラスチックフィルムどうしを熱溶着させることで封入することを特徴とする断熱箱体の製造方法。
【発明の詳細な説明】
【技術分野】
【０００１】
本発明は、断熱材料からなる板状の底面板と複数の側面板とを有し、側面板を底面板の外周縁に立てて箱状に組み立て可能な断熱箱体とその製造方法に関するものである。
【背景技術】
【０００２】
従来、水耕栽培に使用される栽培槽は、錆に強いステンレスで製作され、植物を栽培するための水溶液を収容する水槽部分と、水槽部分の開口を覆う蓋部分とで構成されている。
【０００３】
水槽部分と蓋部分のそれぞれの内側には、保温のための断熱材が貼られている（例えば、下記特許文献１）。水槽部分は、水漏れしない構造となっており、内側に貼られた断熱材と水溶液とが常に接触しているため、断熱材は汚れやすい。
【０００４】
また、下記特許文献２には、少なくとも底板と蓋板と４枚の側板で構成され、側板が垂直に起立した組み立て状態と、側板が水平である折り畳み状態とに変化する折り畳み可能な箱体と、底板と蓋板と側板のそれぞれの内側面を覆う断熱材とで構成された断熱容器が記載されている。この断熱容器では、断熱材の内側に袋状の内カバーが設けられているため、断熱材の汚れを防ぐことができる。しかし、この断熱容器は、構造が複雑なため、組み立て及び折り畳みが煩雑であり、また高価格となりやすい。
【先行技術文献】
【特許文献】
【０００５】
【特許文献１】特開２００８−２５３１６５号公報
【特許文献２】特開２００８−６８８７１号公報
【発明の概要】
【発明が解決しようとする課題】
【０００６】
本発明は、上記実情に鑑みてなされたものであり、その目的は、汚れに対して強く、簡素な構造であって容易に組み立て及び分解が可能な断熱箱体を提供することにある。
【課題を解決するための手段】
【０００７】
上記目的は、下記の如き本発明により達成できる。即ち、本発明に係る断熱箱体は、断熱材料からなる板状の底面板と複数の側面板とを有し、側面板を底面板の外周縁に立てて箱状に組み立て可能な断熱箱体であって、側面板の一辺が底面板の外周縁に近接した状態で、底面板と側面板は対向する２枚のプラスチックフィルムで封入されていることを特徴とするものである。
【０００８】
かかる構成を有する断熱箱体の作用効果を説明する。本発明に係る断熱材料からなる底面板と側面板は、プラスチックフィルムで封入されているため、汚れに対して強く、仮にプラスチックフィルムは汚れても洗浄しやすい。また、底面板と側面板が、側面板の一辺が底面板の外周縁に近接した状態で、対向する２枚のプラスチックフィルムで封入されていることで、組み立ての際には側面板を底面板の外周縁に対して位置決めしやすいため容易に箱状に組み立てができ、一方、分解の際には側面板を底面板の外周縁を基準として外方に倒すことで容易に分解ができる。さらに、本発明の断熱箱体は、簡素な構造であるため、低価格で提供できる。
【０００９】
さらに、底面板と側面板はプラスチックフィルムに封入されているため、分解後にもバラバラとならず、収納や輸送の際にも好ましい。また、分解後に底面板と側面板を平面状に並べることで、積み重ねて輸送することもできる。
【００１０】
上記において、前記側面板を立てた状態で保持可能な保持手段を備えることが好ましい。
【００１１】
この構成によれば、側面板を底面板の外周縁に立てて箱状に組み立てた際にも、容易に箱状を維持できる。
【００１２】
上記において、前記保持手段は、隣り合う側面板の側縁部どうしを連結する連結具であることが好ましい。
【００１３】
この構成によれば、側面板を底面板の外周縁に立てて箱状に組み立てた際にも、隣り合う側面板どうしを連結して容易に箱状を維持できる。
【００１４】
上記において、前記保持手段は、複数の側面板の周囲を取り囲む枠体であることが好ましい。
【００１５】
この構成によれば、側面板を底面板の外周縁に立てて箱状に組み立てた際にも、側面板が外方に倒れるのを防止して容易に箱状を維持できる。
【００１６】
上記において、前記側面板と前記プラスチックフィルムとの間に、遮光性に優れる薄膜材を備えることが好ましい。
【００１７】
この構成によれば、遮光性に優れた断熱箱体を容易に提供できる。
【００１８】
上記において、前記底面板と前記プラスチックフィルムとの間に、補強板を備えることが好ましい。
【００１９】
この構成によれば、断熱箱体の底面の強度を容易に向上させることができる。
【００２０】
また、上記目的は、下記の如き本発明により達成できる。即ち、本発明に係る断熱箱体の製造方法は、断熱材料からなる板状の底面板と複数の側面板とを有し、側面板を底面板の外周縁に立てて箱状に組み立て可能な断熱箱体の製造方法であって、側面板の一辺が底面板の外周縁に近接した状態で、底面板と側面板を対向する２枚のプラスチックフィルムの間に配置し、底面板と側面板の周りでプラスチックフィルムどうしを熱溶着させることで封入することを特徴とする。
【００２１】
かかる構成による断熱箱体の作用効果はすでに述べた通りであり、本発明に係る断熱箱体の製造方法によれば、汚れに対して強く、簡素な構造であって容易に組み立て及び分解が可能な断熱箱体を提供することができる。
【図面の簡単な説明】
【００２２】
【図１】分解状態の断熱箱体の一例を示す斜視図及び断面図
【図２】組み立て状態の断熱箱体の一例を示す斜視図及び断面図
【図３Ａ】隣り合う側面板の側縁部どうしを連結する連結具の一例を示す斜視図
【図３Ｂ】隣り合う側面板の側縁部どうしを連結する連結具の別例を示す斜視図
【図３Ｃ】隣り合う側面板の側縁部どうしを連結する連結具の別例を示す斜視図
【図４Ａ】複数の側面板の周囲を取り囲む枠体の一例を示す斜視図
【図４Ｂ】複数の側面板の周囲を取り囲む枠体の別例を示す斜視図
【図４Ｃ】複数の側面板の周囲を取り囲む枠体の別例を示す斜視図
【図５】別実施形態に係る断熱箱体の斜視図及び断面図
【図６】別実施形態に係る断熱箱体の断面図
【図７】別実施形態に係る断熱箱体の斜視図
【図８】断熱箱体を栽培槽として使用する際の模式図
【図９】別実施形態に係る断熱箱体の斜視図及び断面図
【発明を実施するための形態】
【００２３】
本発明に係る断熱箱体とその製造方法の好適な実施形態を図面を用いて説明する。図１は、本発明に係る分解状態の断熱箱体の一例を示しており、（ａ）は斜視図、（ｂ）は（ａ）の断熱箱体のＡ−Ａ断面図である。図２は、組み立て状態の断熱箱体を示しており、（ａ）は斜視図、（ｂ）は（ａ）の断熱箱体のＢ−Ｂ断面図である。なお、図２（ａ）の斜視図では、説明の便宜のためにプラスチックフィルムを省略している。
【００２４】
断熱箱体１は、断熱材料からなる板状の底面板２と複数の側面板とを有し、側面板を底面板２の外周縁２ａに立てることで箱状に組み立てられる。断熱材料としては、ウレタンフォームやフェノールフォーム、ポリスチレンフォーム等が例示される。底面板と側面板の厚みは、例えば、１０〜３０ｍｍである。
【００２５】
本実施形態において、底面板２は略正方形の板状であり、側面板は、底面板２の４辺に対応するように４枚となっている。４枚の側面板は、対向する一対の第１側面板３１，３２と、対向する一対の第２側面板３３，３４とで構成されている。４枚の側面板は、それぞれ略長方形の板状である。第１側面板３１，３２と第２側面板３３，３４の高さは同じであるが、第１側面板３１，３２の幅は、第２側面板３３，３４よりも少し狭くなっている。これにより、図２に示すように組み立て状態において、第１側面板３１，３２は、対向する第２側面板３３，３４の間に挟まれた形態となる。
【００２６】
図１に示すように、側面板３１〜３４の一辺３１ａ〜３４ａが底面板２の外周縁２ａに近接した状態で、底面板２と側面板３１〜３４は対向する２枚のプラスチックフィルム４で封入されている。プラスチックフィルム４の材料としては、ポリエチレン、ポリプロピレン等が例示される。プラスチックフィルム４は、透明、半透明、又は不透明のいずれでもよい。プラスチックフィルム４の厚みは、例えば、０．１〜０．２ｍｍである。
【００２７】
本実施形態のプラスチックフィルム４は、略正方形となっている。底面板２と側面板３１〜３４は、２枚のプラスチックフィルム４の間に配置されている。底面板２と側面板３１〜３４は、２枚のプラスチックフィルム４の四方のシール部４１を熱溶着させてシールすることで封入されている。シール部４１の幅は、例えば、５００〜１２００ｍｍである。
【００２８】
かかるプラスチックフィルム４どうしのシールには、公知のインパルス式ヒートシーラーを利用することができる。インパルス式ヒートシーラーは、対向する一対の押圧部の間に被シール物を挟持・押圧し、瞬間的にインパルスヒーターを加熱させることで、被シール物のシール部を溶融させてシールすることができる。
【００２９】
側面板３１〜３４の一辺３１ａ〜３４ａと底面板２の外周縁２ａとの間には、所定の隙間ｄを設けている。隙間ｄは、少なくとも底面板２の厚み以上である。このような隙間ｄを設けることで、側面板３１〜３４を底面板２の外周縁２ａに立てる際、図２のように側面板３１〜３４を底面板２の上面に載せることができる。
【００３０】
断熱箱体１は、側面板３１〜３４の一辺３１ａ〜３４ａが底面板２の外周縁２ａに近接した状態で、底面板２と側面板３１〜３４を対向する２枚のプラスチックフィルム４の間に配置し、底面板２と側面板３１〜３４の周りでプラスチックフィルム４どうしを熱溶着させることで封入することにより製造される。
【００３１】
断熱箱体１は、側面板３１〜３４を立てた状態で保持可能な保持手段を備えることが好ましい。保持手段の例としては、側面板３１〜３４を立てた状態で、隣り合う側面板の側縁部どうしを連結する連結具が挙げられる。連結具としては、図３Ａに示すようなプラスチックフィルム４の隅部４ａを折り畳んで第１側面板３１，３２の表面に貼り付けるテープ５が例示されるが、接着剤等でもよい。
【００３２】
また、連結具として、図３Ｂに示すように、側面板と共にプラスチックフィルム４の隅部４ａを挟み込むクリップ５１を用いてもよい。このクリップ５１は、断面が略コの字状をしており、側面板を上方から挟み込むことができる。クリップ５１は、金属、プラスチック等で形成される。
【００３３】
さらに、連結具として、図３Ｃに示すように、隣り合う２枚の側面板を同時に挟み込むクリップ５２を用いてもよい。このクリップ５２は、平面視で略Ｌ字状をしている。クリップ５２によれば、側面板３１〜３４を立てた状態で保持することができ、かつ断熱箱体１の角部を補強することができる。クリップ５２は、金属、プラスチック等で形成される。
【００３４】
また、保持手段の例としては、図４Ａに示すような、側面板３１〜３４を立てた状態で、複数の側面板３１〜３４の周囲を取り囲む枠体６が挙げられる。図４Ａに示す枠体６は、側面板３１〜３４の高さ方向の一部を覆う角筒状であるが、枠体６は、側面板３１〜３４の高さ方向の全部を覆う角筒状であってもよい。枠体６は、図４Ｂに示すように、底面板２を覆う底部６１を備えるようにしてもよい。また、枠体６は、図４Ｃに示すように、断熱箱体１の上方を覆う蓋部６２を備えるようにしてもよい。蓋部６２には、開口を別途設けてもよい。なお、上記のテープ５と枠体６を同時に用いてもよい。
【００３５】
＜別実施形態＞
（１）前述の実施形態では、底面板２を略正方形の板状としているが、これに限定されない。すなわち、底面板２の形状は、三角形の板状でも五角形以上の多角形の板状でもよく、円形等でも構わない。底面板２の形状に合わせて、側面板の枚数は適宜設定される。
【００３６】
（２）前述の実施形態では、プラスチックフィルム４の四方のシール部４１をシールしているが、シールする箇所としてはこれに限定されない。図５に示すように、底面板２と側面板３１〜３４の外周をそれぞれシールするようにしてもよい。これにより、２枚のプラスチックフィルム４の間で底面板２と側面板３１〜３４が移動することがなくなり、容易に組み立てと分解が可能となる。
【００３７】
（３）前述の実施形態では、２枚のプラスチックフィルム４を底面板２の厚み方向の最下部付近でシールしているが、シールする箇所としてはこれに限定されない。例えば、図６に示すように、底面板２の厚み方向の中央部付近でシールしても構わない。
【００３８】
（４）本発明において、側面板とプラスチックフィルム４との間に、遮光性に優れる薄膜材を備えることもできる。このような薄膜材としては、色付きのフィルムや色付きの紙が挙げられ、透明なプラスチックフィルム４の内側に設けられる。また、側面板とプラスチックフィルム４との間に、断熱性に優れる薄膜材を設けて、断熱箱体１の断熱性能を更に高めるようにしてもよい。
【００３９】
（５）また、本発明において、底面板２とプラスチックフィルム４との間に、補強板を備えることもできる。補強板を設けることで、断熱箱体１の底面の強度を容易に向上できる。なお、側面板とプラスチックフィルム４との間にも補強板を備えるようにしてもよい。
【００４０】
（６）保持手段は、図７に示すように、平面視でコの字状の枠体６でもよい。
【００４１】
（７）本発明の断熱箱体１は、例えば、水耕栽培に使用される栽培槽として好適である。図８は、断熱箱体１を栽培槽として使用する際の一例を示す模式図である。この例では、底面板２に、液肥を供給するための供給孔７１と排出するための排出孔７２が形成されている。保持手段としては、底面板および側面板を覆う箱状の枠体６を用いている。また、断熱箱体１を栽培槽として使用する場合、断熱箱体１の上方は、開口が設けられた蓋８で覆われる。蓋８の内側には、断熱性能を高めるために断熱材が設けられる。枠体６及び蓋８は、ステンレス等で構成されている。
【００４２】
（８）また、本発明の断熱箱体１は、上記の栽培槽のほか、例えば魚を入れる水槽として好適である。また、本発明の断熱箱体１は、保温箱や保冷箱として用いることもできる。
【００４３】
（９）前述の実施形態では、断熱箱体１の底面は１枚の底面板２で構成されているが、２枚以上の底面板で構成されてもよい。図９は、断熱箱体１の底面が４枚の底面板２で構成されている例を示す。４枚の底面板２の間では、２枚のプラスチックフィルム４を底面板２の厚み方向の最上部付近と最下部付近で交互にシールしている。対向する一対の第１側面板３１，３２も底面板２と同様の構成とする。この構成によれば、断熱箱体１の不使用時には、底面を隣り合う底面板２どうしの間で交互に折り畳むことができるため、収納や輸送の際にも好ましい。
【符号の説明】
【００４４】
１        断熱箱体
２        底面板
２ａ      外周縁
４        プラスチックフィルム
５        テープ
６        枠体
３１〜３４  側面板
４１        シール部
【図１】
2013256302.tif 000003
【図２】
2013256302.tif 000004
【図３Ａ】
2013256302.tif 000005
【図３Ｂ】
2013256302.tif 000006
【図３Ｃ】
2013256302.tif 000007
【図４Ａ】
2013256302.tif 000008
【図４Ｂ】
2013256302.tif 000009
【図４Ｃ】
2013256302.tif 000010
【図５】
2013256302.tif 000011
【図６】
2013256302.tif 000012
【図７】
2013256302.tif 000013
【図８】
2013256302.tif 000014
【図９】
2013256302.tif 000015